(57)【要約】【課題】  従来のインターネットを利用した広告方法と比べ、より積極的な形で、より効果的に広告を行うことができ、しかも、広告の受取側に対し「煩わしい」等のマイナスの感情を生じさせることなく実施することができる広告コンテンツの配信方法、及び、広告方法を提供することを目的とする。【解決手段】  配信希望者３に対し、電子メールアドレスを含む情報の送信を促すステップと、配信される広告コンテンツの抽出方法の選択を促すステップと、電気通信事業者５を特定するステップと、抽出された広告コンテンツを定期的に或いは不定期に配信するステップと、配信した広告コンテンツの数量を管理し、電気通信事業者５に対して支払うべき通信料金の一部が、広告コンテンツの数量に応じて、広告主４によって負担されるように管理するステップと、によって構成される。【選択図】  図１
2006285879.tif 000002
【特許請求の範囲】
【請求項１】
コンピュータネットワークを利用して、広告コンテンツを配信する方法であって、
広告コンテンツの配信希望者に対し、その配信希望者において配信を希望する電子メールアドレスを含む情報の送信を促すステップと、
前記配信希望者に対し、配信される広告コンテンツの抽出方法の選択を促すステップと、
前記配信希望者の端末設備に対して電気通信役務を提供する電気通信事業者を特定するステップと、
抽出された広告コンテンツを、前記電子メールアドレスに宛てて、定期的に或いは不定期に配信するステップと、
一定期間内に配信希望者に配信した広告コンテンツの数量又は情報量を管理するとともに、その配信希望者が前記電気通信事業者に対して支払うべき通信料金の一部が、配信された広告コンテンツの数量又は情報量に応じて、或いは、その通信料金の全部が、前記広告主によって負担されるように管理するステップと、
によって構成されることを特徴とする広告コンテンツの配信方法。
【請求項２】
コンピュータネットワークを利用して、広告コンテンツを配信する方法であって、
広告コンテンツの配信希望者に対し、その配信希望者において配信を希望する電子メールアドレスを含む情報の送信を促すステップと、
前記配信希望者に対し、配信される広告コンテンツの抽出方法の選択を促すステップと、
抽出された広告コンテンツを、前記電子メールアドレスに宛てて、定期的に或いは不定期に配信するステップと、
一定期間内に配信希望者に配信した広告コンテンツの数量又は情報量を管理するステップと、
配信された広告コンテンツの数量又は情報量に応じて、コンピューターネットワーク上における決済に使用可能な暗号化情報、又は、特定の事業者との間で送受信が可能な或いは符帳し得る取引促進情報、又は、特定の事業者からサービスを受けるために必要となる情報を、その配信希望者へ送信するステップと、
によって構成されることを特徴とする広告コンテンツの配信方法。
【請求項３】
コンピュータネットワークを利用した広告方法であって、
企業のコマーシャルムービーとして、既にテレビ放映されているもの、或いは、既にコンピュータネットワーク上において一般に公開されているものに基づいて予め制作された複数の雛型を用意するステップと、
それらの複数の雛型の中から、希望する雛型を選択するよう、依頼者に対して促すステップと、
プロフィールムービーを制作しようとする上で必要となる静止画、動画、サウンド、及び／又は、テキストを送信するよう、依頼者に対して促すステップと、
受信した静止画、動画、サウンド、及び／又は、テキスト内の各コンテンツと、依頼者に選択された雛型の基礎となるコマーシャルムービーの広告コンテンツの一部とを、選択された雛型に沿って編纂することにより、プロフィールムービーを制作するステップと、
これを任意の形式の動画ファイルに保存して、依頼者に送信するステップと、
によって構成されることを特徴とするプロフィールムービーを利用した広告方法。
【請求項４】
コンピュータネットワークを利用した広告方法であって、
一部に広告コンテンツを含む複数の雛型を用意するステップと、
それらの複数の雛型の中から、希望する雛型を選択するよう、依頼者に対して促すステップと、
プロフィールムービーを制作しようとする上で必要となる静止画、動画、サウンド、及び／又は、テキストを送信するよう、依頼者に対して促すステップと、
受信した静止画、動画、サウンド、及び／又は、テキスト内の各コンテンツと、選択された雛型に含まれている広告コンテンツとを、当該雛型に沿って編纂することにより、プロフィールムービーを制作するステップと、
これを任意の形式の動画ファイルに保存して、依頼者に送信するステップと、
によって構成されることを特徴とするプロフィールムービーを利用した広告方法。
【請求項５】
コンピュータネットワークを利用した広告方法であって、
複数の雛型を用意するステップと、
それらの複数の雛型の中から、希望する雛型を選択するよう、依頼者に対して促すステップと、
プロフィールムービーを制作しようとする上で必要となる静止画、動画、サウンド、及び／又は、テキストを送信するよう、依頼者に対して促すステップと、
予め多数登録されている複数の企業の広告コンテンツのうち、選択された雛型中に含まれている文字情報、依頼者から送信されたテキスト中に含まれている文字情報、及び／又は、アクセス時における依頼者の位置情報と一定の関連性を有するものを自動的に抽出、選択するステップと、
受信した静止画、動画、サウンド、及び／又は、テキスト内の各コンテンツと、自動的に選択された広告コンテンツとを、依頼者によって選択された雛型に沿って編纂することにより、プロフィールムービーを制作するステップと、
これを任意の形式の動画ファイルに保存して、依頼者に送信するステップと、
によって構成されることを特徴とするプロフィールムービーを利用した広告方法。
【請求項６】
依頼者と、特定の事業者との間で送受信が可能な或いは符帳し得る取引促進情報、又は、特定の事業者からサービスを受けるために必要となる情報、又は、コンピューターネットワーク上における決済に使用可能な暗号化情報が、制作されるプロフィールムービーに付随して、依頼者に送信されることを特徴とする、請求項３〜請求項５のいずれかに記載の、プロフィールムービーを利用した広告方法。
【請求項７】
依頼者から送信された静止画、動画、サウンド、及び／又は、テキスト内のコンテンツと、依頼者に選択された雛型の基礎となるコマーシャルムービーの広告コンテンツの一部又は選択された雛型に含まれている広告コンテンツ又は自動的に選択された広告コンテンツとを、依頼者に選択された雛型に沿って編纂することによって制作したことを特徴とするプロフィールムービー。
【発明の詳細な説明】
【技術分野】
【０００１】
本発明は、インターネット等のコンピュータネットワークを利用して、移動端末設備（携帯電話機、ＰＨＳ、ラップトップ型のモバイルパーソナルコンピュータ、パームトップ型の各種電子ツール等）のユーザーに対して企業広告を行う方法に関する。
【背景技術】
【０００２】
企業は、今日まで多種多様なメディアを利用して広告を行ってきており、最近では、インターネットを利用した広告も盛んに行われるようになってきている。インターネットを利用した企業広告には様々な形態があるが、自社が開設するウェブページにおいて自社商品等の詳細な情報を掲載するという方法や、第三者が開設するウェブページに、自社のウェブページにリンクした「バナー広告」と呼ばれる広告コンテンツを掲載してもらう、という形が一般的である。
【発明の開示】
【発明が解決しようとする課題】
【０００３】
上記のような形態の企業広告（インターネットを利用した広告）は、自社のウェブサイトを訪れてくれた人に対しては、十分な広告効果が得られるが、あくまでも形態としては「受け身」であり、インターネットに接続可能な端末設備のユーザーに対して、積極的に広告を行うことができない、という問題がある。
【０００４】
特に近年では、ＩＴ技術の飛躍的な進歩に伴い、インターネットに接続できる機能、乃至は、電子メールの送受信機能を有する携帯電話機が目覚ましい勢いで普及しているため、かかる携帯電話機のユーザーに対して、より積極的な形で広告を行う（例えば、電子メールを利用して、広告主側から携帯電話機のユーザーに広告コンテンツを直接送信する）ことができれば、広告効果を格段に向上させることができる、と考えられる。
【０００５】
しかしながら、広告主側から携帯電話機のユーザーに対して無節操に広告コンテンツが送信されると、携帯電話機のユーザーにおいて非常に煩わしく感じられ、却って広告主の企業イメージや信用を低下させてしまう可能性がある。
【０００６】
本発明は、上記のような従来技術の問題を解決すべくなされたものであって、従来のインターネットを利用した広告方法と比べ、より積極的な形で、より効果的に広告を行うことができ、しかも、広告の受取側に対し「煩わしい」等のマイナスの感情を生じさせることなく実施することができる広告コンテンツの配信方法、及び、広告方法を提供することを目的とする。
【課題を解決するための手段】
【０００７】
本発明の請求項１に係る「広告コンテンツの配信方法」は、コンピュータネットワークを利用して、配信希望者に広告コンテンツを配信する方法であって、広告コンテンツの配信希望者に対し、その配信希望者において配信を希望する電子メールアドレスを含む情報の送信を促すステップと、当該配信希望者に対し、配信される広告コンテンツの抽出方法の選択を促すステップと、当該配信希望者の端末設備に対して電気通信役務を提供する電気通信事業者を特定するステップと、抽出された広告コンテンツを、前記電子メールアドレスに宛てて、定期的に或いは不定期に配信するステップと、一定期間内に配信希望者に配信した広告コンテンツの数量又は情報量を管理するとともに、その広告コンテンツの数量又は情報量に関する情報を、広告主、その配信希望者に電気通信役務を提供する電気通信事業者、及び／又は、仲介業者へ送信すること等により、その配信希望者が前記電気通信事業者に対して支払うべき通信料金の一部が、配信された広告コンテンツの数量又は情報量に応じて、或いは、その通信料金の全部が、前記広告主によって負担されるように管理するステップと、によって構成されることを特徴としている。
【０００８】
本発明の請求項２に係る「広告コンテンツの配信方法」は、コンピュータネットワークを利用して、配信希望者に広告コンテンツを配信する方法であって、広告コンテンツの配信希望者に対し、その配信希望者において配信を希望する電子メールアドレスを含む情報の送信を促すステップと、当該配信希望者に対し、配信される広告コンテンツの抽出方法の選択を促すステップと、抽出された広告コンテンツを、前記電子メールアドレスに宛てて、定期的に或いは不定期に配信するステップと、一定期間内に配信希望者に配信した広告コンテンツの数量又は情報量を管理するステップと、配信された広告コンテンツの数量又は情報量に応じて、コンピューターネットワーク上における決済に使用可能な暗号化情報、又は、特定の事業者との間で送受信が可能な或いは符帳し得る取引促進情報、又は、特定の事業者からサービスを受けるために必要となる情報を、その配信希望者へ送信するステップと、によって構成されることを特徴としている。
【０００９】
尚、請求項１及び請求項２に係る発明において、「抽出された広告コンテンツを、前記電子メールアドレスに宛てて配信する」とは、「広告コンテンツを特定のファイル形式よってに保存したもの（広告コンテンツファイル）を電子メールに添付することにより、広告コンテンツファイルそのものを配信希望者へ送信すること」のみを意味するものではなく、「広告コンテンツファイルを管理者側のコンピュータ（或いはその付帯設備）内に保存するとともに、当該広告コンテンツファイルにアクセスするために必要な情報（ＵＲＬアドレス等）を配信希望者へ送信し、配信希望者がアクセスした際に、当該広告コンテンツファイルが配信希望者の端末設備において表示されるような状態とすること」をも含む趣旨である。
【００１０】
本発明の請求項３に係る「プロフィールムービーを利用した広告方法」は、コンピュータネットワークを利用して広告を行う方法であって、企業のコマーシャルムービーとして、既にテレビ放映されているもの、或いは、既にコンピュータネットワーク上において一般に公開されているものに基づいて予め制作された複数の雛型を用意するステップと、それらの複数の雛型の中から、希望する雛型を選択するよう、依頼者に対して促すステップと、プロフィールムービーを制作しようとする上で必要となる静止画、動画、サウンド、及び／又は、テキストを送信するよう、依頼者に対して促すステップと、受信した静止画、動画、サウンド、及び／又は、テキスト内の各コンテンツと、依頼者に選択された雛型の基礎となるコマーシャルムービーの広告コンテンツの一部とを、選択された雛型に沿って編纂することにより、プロフィールムービーを制作するステップと、これを任意の形式の動画ファイルに保存して、依頼者に送信するステップと、によって構成されることを特徴としている。
【００１１】
尚、ここに言う「プロフィールムービー」とは、個人の肖像、経歴、嗜好等のパーソナルデータ、或いは、メッセージ等からなる自己ＰＲ用の（或いはその他の用途に用いられる）一群の電子データを言い、「個人」には、依頼者本人だけでなく、依頼者の家族、ペット、友人、同僚等も含まれる。
【００１２】
本発明の請求項４に係る「プロフィールムービーを利用した広告方法」は、コンピュータネットワークを利用した広告方法であって、一部に広告コンテンツを含む複数の雛型を用意するステップと、それらの複数の雛型の中から、希望する雛型を選択するよう、依頼者に対して促すステップと、プロフィールムービーを制作しようとする上で必要となる静止画、動画、サウンド、及び／又は、テキストを送信するよう、依頼者に対して促すステップと、受信した静止画、動画、サウンド、及び／又は、テキスト内の各コンテンツと、選択された雛型に含まれている広告コンテンツとを、当該雛型に沿って編纂することにより、プロフィールムービーを制作するステップと、これを任意の形式の動画ファイルに保存して、依頼者に送信するステップと、によって構成されることを特徴としている。
【００１３】
本発明の請求項５に係る「プロフィールムービーを利用した広告方法」は、コンピュータネットワークを利用して広告を行う方法であって、複数の雛型を用意するステップと、それらの複数の雛型の中から、希望する雛型を選択するよう、依頼者に対して促すステップと、プロフィールムービーを制作しようとする上で必要となる静止画、動画、サウンド、及び／又は、テキストを送信するよう、依頼者に対して促すステップと、予め多数登録されている複数の企業の広告コンテンツのうち、選択された雛型中に含まれている文字情報、依頼者から送信されたテキスト中に含まれている文字情報、及び／又は、アクセス時における依頼者の位置情報と一定の関連性を有するものを自動的に抽出、選択するステップと、受信した静止画、動画、サウンド、及び／又は、テキスト内の各コンテンツと、自動的に選択された広告コンテンツとを、依頼者によって選択された雛型に沿って編纂することにより、プロフィールムービーを制作するステップと、これを任意の形式の動画ファイルに保存して、依頼者に送信するステップと、によって構成されることを特徴としている。
【００１４】
本発明の請求項６に係る「プロフィールムービーを利用した広告方法」は、請求項３〜５の広告方法において、特定の事業者との間で送受信が可能な或いは符帳し得る取引促進情報、又は、特定の事業者からサービスを受けるために必要となる情報、又は、コンピューターネットワーク上における決済に使用可能な暗号化情報が、制作されるプロフィールムービーに付随して、依頼者に送信されることを特徴としている。
【００１５】
尚、請求項３〜５の発明において、「任意の形式の動画ファイルに保存して、依頼者に送信する」とは、「広告コンテンツファイルを電子メールに添付することにより、広告コンテンツファイルそのものを配信希望者へ送信すること」のみを意味するのではなく、「広告コンテンツファイルを管理者側のコンピュータ（或いはその付帯設備）内に保存するとともに、当該広告コンテンツファイルにアクセスするために必要な情報（ＵＲＬアドレス等）を配信希望者へ送信し、配信希望者がアクセスした際に、当該広告コンテンツファイルが配信希望者の端末設備において表示されるような状態とすること」をも含む趣旨である。
【００１６】
本発明の請求項７に係る「プロフィールムービー」は、依頼者から送信された静止画、動画、サウンド、及び／又は、テキスト内のコンテンツと、依頼者に選択された雛型の基礎となるコマーシャルムービーの広告コンテンツの一部又は選択された雛型に含まれている広告コンテンツ又は自動的に選択された広告コンテンツとを、依頼者に選択された雛型に沿って編纂することによって制作したことを特徴としている。
【発明の効果】
【００１７】
本発明の「広告コンテンツの配信方法」によれば、広告を多数の者に対して確実に到達させることができ、極めて効率良く宣伝広告を行うことができる。また、配信希望者においては、携帯電話機等の通信料金の減額を受けることができ、或いは、電子マネーや電子クーポン等を受け取ることができる。
【００１８】
また、本発明の「プロフィールムービーを利用した広告方法」においても、広告を多数の者に対して確実に到達させることができ、極めて効率良く宣伝広告を行うことができるという効果を期待することができる。更に、依頼者に送信されたプロフィールムービーは、自由に転送できるため、依頼者から複数の人間に拡散する可能性があり、拡散すればするほど、大きな広告効果を得ることができる。また、依頼者は、コンピュータネットワークを通じて自由に利用できるプロフィールムービー等を無料で入手することができ、或いは、電子クーポン等を受け取ることができる。
【００１９】
また、本発明の「プロフィールムービー」を使用することにより、上記のような「プロフィールムービーを利用した広告方法」を好適に実施することができる。
【発明を実施するための最良の形態】
【００２０】
ここで本発明の好適な実施形態について説明する。
（第１の実施形態）
本発明の第１の実施形態は、インターネット等のコンピュータネットワーク、及び、そのようなネットワークに接続可能な端末設備（携帯電話機、ＰＨＳ、モバイル型のパーソナルコンピュータ、パームトップ型電子ツール等）を利用して、かかる端末設備のユーザーに企業の広告コンテンツを配信する方法である。
【００２１】
本発明の第１の実施形態に係る広告コンテンツの配信方法は、主として、管理者２においてサーバー（管理サーバー２１）を管理すること、及び、管理サーバー２１が接続可能なコンピュータネットワークＣＮ上に開設されるウェブサイトＷＳを運営することによって実施される（図１参照）。
【００２２】
この方法が実施される際、管理サーバー２１によって実行されるアクションの中で中軸となるものは、配信希望者３の端末設備３１に対し、コンピュータネットワークＣＮを介して、定期的に或いは不定期に企業（広告主４）の広告コンテンツを配信する、ということである。このアクションが実行されることにより、広告主４は、自社製品等の広告を多数の者に対して確実に到達させることができ、極めて効率良く宣伝広告を行える、という利益を享受することができる。
【００２３】
一方、それらの広告コンテンツの配信を受けた配信希望者３は、電気通信事業者５に支払うべき通信料金の減額を受けられる、という利益を享受することができる。尚、配信希望者３における通信料金の減額分は、配信希望者３に替わって広告主４が負担することになる。以下、この方法を実施するために必要な事項を、ステップ毎に詳述する。
【００２４】
（第１の実施形態：第１ステップ）
第１ステップは、この「広告コンテンツの配信方法」によるサービスの内容を理解し、広告コンテンツの配信を受けることに同意した者（配信希望者）に、配信を希望する端末設備の電子メールアドレスに関する情報を提出させるステップである。
【００２５】
管理サーバー２１が、配信希望者３に対して広告コンテンツを送信するには、配信希望者３が配信を希望する端末設備３１の電子メールアドレスＭ１を、管理サーバー２１において事前に把握している必要がある。そこで、本実施形態においては、広告コンテンツの配信を受けることに同意した配信希望者３が、この配信方法を実施するためにコンピュータネットワークＣＮ上に開設されているウェブサイトＷＳに対し、申し込みを行うべくアクセスした際に、配信を希望する端末設備３１の電子メールアドレスＭ１に関する情報を提出させ、管理サーバー２１においてこれを取得することとしている。
【００２６】
電子メールアドレスＭ１に関する情報の取得は、アクセスした配信希望者３の端末設備３１と管理サーバー２１とが、コンピュータネットワークＣＮを介して接続されている状態において、配信希望者３の端末設備３１のコンソールから電子メールアドレスＭ１を手入力させ、これを送信させることによって行う。
【００２７】
但し、手入力の場合、架空の電子メールアドレスや他人の電子メールアドレスが指定されてしまう可能性があり、また、誤入力等の問題があるため、このような問題を回避する必要がある場合には、「ブランクメール」のシステムを利用して配信希望者３の電子メールアドレスＭ１に関する情報を取得する。
【００２８】
具体的には、管理サーバー２１のウェブサイトＷＳに、「初期申込画面」を用意し、管理サーバー２１の受付用電子メールアドレスに宛てた、件名、本文なしの電子メール（いわゆる「ブランクメール」）の送信を行うか、行わないかの選択を配信希望者３に促すメッセージを、この「初期申込画面」に表示する。ここで配信希望者３が「ブランクメールの送信を行うこと」を選択し、適切な操作を行うと、配信希望者３の端末設備３１からブランクメールが送信され、管理サーバー２１によって当該ブランクメールが受信される。管理サーバー２１が受信したブランクメールには、配信希望者３の電子メールアドレスＭ１に関する情報が含まれているため、管理サーバー２１は、受信したブランクメールから当該情報を抽出し、取得、保存する。
【００２９】
（第１の実施形態：第２ステップ）
第２ステップは、配信希望者３へ配信する広告コンテンツの抽出方法（管理サーバー２１内に登録されている多数の広告コンテンツの中から、配信希望者３へ配信するものを抽出する方法）を決定するためのステップである。
【００３０】
管理サーバー２１には、複数の広告主４から配信を委託されたデジタル広告コンテンツが多数登録されており、それらの広告コンテンツは、随時更新され、また、新たに制作されたものが順次追加されていくことになる。そして、それら多数の広告コンテンツのすべてを配信希望者３へ配信する、ということは現実的ではない。そこで、配信希望者３は、事前に行われる申込手続において、広告コンテンツが配信される頻度（例えば、１日／１週間／２週間／１ヶ月につき、１通／５通／１０通／１５通等）を指定することができる。
【００３１】
また、配信希望者３は、多数登録されている広告コンテンツの中から、配信される広告コンテンツをどのような基準で抽出するかを選ぶことができる。例えば、広告主４の名称を指定（選択）して、その指定された名称の企業の広告コンテンツのみが配信されるように設定することもできるし、特定の商品名或いはサービス名を指定して、その商品等について制作された一連の（シリーズ化された）広告コンテンツのみが配信されるように設定することもできる。また、業種（ビールメーカー、化粧品メーカー、自動車メーカー等）を指定して、その指定された業種に属する広告主４の広告コンテンツが、ランダムに配信されるように設定することもできる。更に、一切の指定を行わず、任意の広告主４によって制作された任意の広告コンテンツがランダムに抽出され、配信されるように設定することもできる。
【００３２】
（第１の実施形態：第３ステップ）
第３ステップは、配信希望者３の端末設備３１に対して電気通信役務を提供する電気通信事業者を特定するステップである。
【００３３】
通常、携帯電話等の移動端末設備から他の電気通信設備に対し、インターネット等のコンピュータネットワークを介して電子情報が送信される場合、その電子情報の中には、当該移動端末設備に対して電気通信役務を提供する電気通信事業者に関する情報が含まれている。従って、第２ステップにおいて、配信希望者３の端末設備３１との間で電子情報の送受信を行った管理サーバー２１は、受信した電子情報の中から、端末設備３１に対して電気通信役務を提供する電気通信事業者５に関する情報を抽出し、特定することができる。管理サーバー２１は、第２ステップが完了した時点で、受信した電子情報から電気通信事業者５を特定し、配信希望者３との関係を記録する。
【００３４】
（第１の実施形態：第４ステップ）
第４ステップは、配信希望者３の電子メールアドレスＭ１に宛て、広告コンテンツを配信するステップである。管理サーバー２１は、登録されている多数の広告コンテンツの中から、第２ステップにおいて配信希望者３により指定された抽出方法に従って、配信すべき広告コンテンツを抽出し、定期的に又は不定期に配信希望者３の端末設備３１へ配信する。
【００３５】
尚、ここに言う「不定期に配信する」とは、単に「ランダムに配信すること」のみならず、「配信希望者３の行動が特定の条件を満たした場合に配信する」というような場合も含まれる。例えば、配信希望者３の使用する端末設備３１から位置情報を取得して、配信希望者３が、広告主４によって営業されている店舗から５００ｍ以内の地点に在ることが確認された場合に、広告コンテンツを配信する、というような場合である。また、この場合、配信される広告コンテンツに、タイムリーな情報（例えば、「ただ今から、先着何名様に限り、半額サービス」、「現在、空席あり」といった情報）を含めることもできる。
【００３６】
（第１の実施形態：第５ステップ）
第５ステップは、一定期間内に配信希望者３に配信した広告コンテンツの数量又は情報量を管理し、更に、広告主４によって配信希望者３の通信料金の一部又は全部が負担されることを管理するステップである。
【００３７】
管理サーバー２１は、第４ステップにおいて配信希望者３に配信される広告コンテンツの数量又は情報量を、広告主４ごとに自動集計するようになっている。そして、一定期間内（例えば、１ヶ月間）に配信された広告コンテンツの数量又は情報量に関する電子情報を、広告主４（複数の広告主４の広告コンテンツが配信された場合には、それらすべての広告主４）、及び、電気通信事業者５に送信する。尚、図１に示すように、広告主４と管理者２の間に、仲介業者６が介在している場合には、広告主４ではなく、その仲介業者６へ送信する。
【００３８】
電子情報を受け取った広告主４（又は仲介業者６）は、配信された広告コンテンツの数量又は情報量に応じ、予め取り決められた計算方法に基づいて算出された額の金銭を電気通信事業者５に送金するとともに、送金を行った日付、金額、及び、送金先に関する電子情報を管理サーバー２１に送信する。
【００３９】
一方、電子情報を受け取った電気通信事業者５は、本来配信希望者３に請求すべき通信料金から、広告主４から受け取った金額に相当する分を差し引いて、配信希望者３に通信料金の請求を行い、その差し引いた金額に関する電子情報を管理サーバー２１に送信する。
【００４０】
管理サーバー２１は、広告主４（又は仲介業者６）から送信された電子情報と、電気通信事業者５から送信された電子情報と、配信希望者３に配信された広告コンテンツの数量又は情報量に関する情報とを突き合わせ、過不足の有無を確認することにより、配信希望者３が電気通信事業者５に対して支払うべき通信料金の一部が、配信された広告コンテンツの数量又は情報量に応じて、広告主４によって負担されるように管理する。
【００４１】
尚、配信希望者３は、配信される広告コンテンツの数量又は情報量が所定量を超えた場合に、電気通信事業者５へ支払うべき通信料金の全額が広告主４によって負担される、というオプションを選択することもでき、この場合、管理サーバー２１は、配信希望者３へ配信された広告コンテンツの数量又は情報量が所定量を超えていることを確認するとともに、広告主４（又は仲介業者６）、及び、電気通信事業者５との間で電子情報の送受信を行い、それらの情報を突き合わせることによって、配信希望者３が電気通信事業者５に対して支払うべき通信料金の全額が、広告主４によって負担されるように管理する。
【００４２】
（第１の実施形態：メリット）
以上のようなステップが順次実行されることにより、広告主４は、自社製品等の広告を多数の者に対して確実に到達させることができ、極めて効率良く宣伝広告を行うことができ、配信希望者３は、電気通信事業者５に支払うべき通信料金の減額を受けることができる。
【００４３】
（第２の実施形態）
続いて、本発明の第２の実施形態について説明する。本発明の第２の実施形態は、第１の実施形態と同様に、インターネット等のコンピュータネットワーク、及び、そのようなネットワークに接続可能な端末設備を利用して、かかる端末設備のユーザーに企業の広告コンテンツを配信する方法であり、主として、管理者においてサーバー（管理サーバー）を管理すること、及び、管理サーバーが接続可能なコンピュータネットワーク上に開設されるウェブサイトを運営することによって実施される。
【００４４】
本実施形態においても、管理サーバーによって実行されるアクションの中で中軸となるものは、配信希望者の端末設備に対し、コンピュータネットワークを介して、定期的に或いは不定期に企業（広告主）の広告コンテンツを配信する、ということである。このアクションが実行されることにより、広告主は、自社製品等の広告を多数の者に対して確実に到達させることができ、極めて効率良く宣伝広告を行える、という利益を享受することができる。
【００４５】
一方、それらの広告コンテンツの配信を受けた配信希望者は、電気通信事業者に支払うべき通信料金の減額を受けられるのではなく、配信された広告コンテンツの数量又は情報量に応じて、いわゆる電子マネー（コンピューターネットワーク上における決済に使用可能な暗号化情報）や、電子クーポン（特定の事業者との間で送受信が可能な或いは符帳し得る取引促進情報）を受け取ることができる。以下、この方法を実施するために必要な事項を、ステップ毎に説明する。
【００４６】
（第２の実施形態：第１ステップ）
第１ステップは、この「広告コンテンツの配信方法」によるサービスの内容を理解し、広告コンテンツの配信を受けることに同意した者（配信希望者）に、配信を希望する端末設備の電子メールアドレスに関する情報を提出させるステップである。詳細は、第１の実施形態の第１ステップと同じである。
【００４７】
（第２の実施形態：第２ステップ）
第２ステップは、配信希望者へ配信する広告コンテンツの抽出方法（管理サーバー内に登録されている多数の広告コンテンツの中から、配信希望者へ配信するものを抽出する方法）を決定するためのステップである。詳細は、第１の実施形態の第２ステップと同じである。
【００４８】
（第２の実施形態：第３ステップ）
第３ステップは、配信希望者の電子メールアドレスに宛て、広告コンテンツを配信するステップである。詳細は、第１の実施形態の第４ステップと同じである。
【００４９】
（第２の実施形態：第４ステップ）
第４ステップは、一定期間内に配信希望者に配信した広告コンテンツの数量又は情報量を管理し、更に、配信された広告コンテンツの数量又は情報量に応じて、配信希望者へ電子マネーや電子クーポン等を送信するステップである。
【００５０】
管理サーバーは、第３ステップにおいて配信希望者に配信される広告コンテンツの数量又は情報量を、広告主ごとに自動集計するようになっている。そして、一定期間内（例えば、１ヶ月間）に配信された広告コンテンツの数量又は情報量に関する電子情報を、広告主（複数の広告主の広告コンテンツが配信された場合には、それらすべての広告主）、又は、仲介業者へ送信し、配信された広告コンテンツの数量又は情報量に応じて、配信希望者へ電子マネーや電子クーポン等を送信する。
【００５１】
尚、配信希望者に送信される電子マネーは、配信された広告コンテンツの広告主に課金される。また、電子クーポンは、基本的には、配信された広告コンテンツの広告主（或いはそのグループ企業）との関係で利用可能なものが配信希望者へ送信される。例えば、フランチャイズ展開を行っている居酒屋の広告が配信された場合、そのフランチャイズ店舗のいずれにおいても優待割引サービスを受けることができる電子クーポンなどである。
【００５２】
但し、それらのみならず、業界の団体、組合（例えば、図書券を取り扱う団体とその加盟店など）や信販会社等が介在することによって債権債務関係を管理することができる場合には、広告主と関係がない事業者との間で利用可能な電子クーポン等を送信することもできる。
【００５３】
尚、電子マネーや電子クーポンを送信する代わりに、「特定の事業者からサービスを受けるために必要となる情報」を送信することもできる。例えば、インターネット上でオンラインショッピング等が行えるサイトを運営している事業者が、一般の来訪者向けのサイトとは別に、限定された特定の来訪者に対して割引販売、或いは、いわゆるマイレージサービスやポイントサービスの優遇を行うための特別なサイトを用意している場合において、その特別なサイトのＵＲＬ情報や、その特別なサイトに入場するためのパスワードを送信するような場合が、これに該当する。
【００５４】
（第２の実施形態：メリット）
以上のようなステップが順次実行されることにより、広告主は、自社製品等の広告を多数の者に対して確実に到達させることができ、極めて効率良く宣伝広告を行うことができ、配信希望者は、電子マネー、電子クーポン、その他各種の割引サービス等を利用できるというメリットがある。
【００５５】
（第３の実施形態）
続いて、本発明の第３の実施形態について説明する。本発明の第３の実施形態も、第１の実施形態と同様に、インターネット等のコンピュータネットワーク、及び、そのようなネットワークに接続可能な端末設備（携帯電話機、ＰＨＳ等）を利用して、かかる端末設備のユーザーに対して企業の広告を行う方法である。
【００５６】
本発明の第３の実施形態に係る広告方法は、主として、制作者においてサーバー（管理サーバー）を管理すること、及び、管理サーバーが接続可能なコンピュータネットワーク上に開設されるウェブサイトを運営することによって実施される。
【００５７】
この方法が実施される際、制作者において実行されるアクションの中で中軸となるものは、「広告主の広告コンテンツを含むプロフィールムービー」を制作し、それを依頼者の端末設備に対し、コンピュータネットワークを介して送信する、ということである。このアクションが実行されることにより、広告主は、自社製品等の広告を多数の者に対して確実に到達させることができ、極めて効率良く宣伝広告を行える、という利益を享受することができる。
【００５８】
尚、プロフィールムービーの制作費用は、依頼者に替わって広告主が負担することになる。従って、依頼者は、コンピュータネットワークを通じて自由に利用できるプロフィールムービーを無料で入手することができる。以下、この方法を実施するために必要な事項を、ステップ毎に詳述する。
【００５９】
（第３の実施形態：第１ステップ）
第１ステップは、制作者においてプロフィールムービーを制作する際の基礎となる雛型を用意するステップである。
【００６０】
制作者は、まず、コマーシャルムービー（既にテレビ放映されているもの、或いは、既にコンピュータネットワーク上において一般に公開されているもの）のオリジナル版を広告主より入手する。企業のコマーシャルムービーは、通常、広告宣伝の対象となる商品の撮像（静止画、動画）、商標、品名、キャッチコピー（テキスト）などのほか、起用された俳優、タレント等の出演者の撮像（静止画、動画）、音声、ＢＧＭ（サウンド）等の複数の素材を編纂することによって制作されている。
【００６１】
制作者は、広告主から入手したコマーシャルムービーのオリジナル版を構成する素材のうち、依頼者から提出される素材と無理なく入れ替えることができる部分（例えば、出演者の撮像や名前）を取り除くことによって、コマーシャルムービーの雛型を複数種類制作する。
【００６２】
（第３の実施形態：第２ステップ）
第２ステップは、用意された複数のコマーシャルムービーの雛型の中から、依頼者において希望する雛型を選択させるステップである。
【００６３】
制作者によって運営されるウェブサイトの所定のページには、用意された雛型を示すアイコンが、その内容に関する簡単な説明文とともに複数掲載される。従って、この「広告方法」によるサービスの内容を理解し、プロフィールムービーの制作を依頼しようとする者（依頼者）が、このページにアクセスすると、その依頼者の端末設備の画面には、それらのアイコン等が複数表示されることになる。
【００６４】
依頼者が、それらのアイコンのうちいずれかにカーソルを合わせて実行すると、その雛型を用いて制作されたプロフィールムービーのサンプルが再生され、依頼者の端末設備の画面に表示されることになる。また、そのページには、希望する雛型を選択（決定）し、その旨を送信することを依頼者に対して促すメッセージが表示され、依頼者が指示通りの操作を行うと、依頼者によって選択された雛型に関する情報が、管理サーバーに送信される。
【００６５】
尚、雛型を構成する素材には、それぞれオリジナル版において使用されているＢＧＭが含まれているが、本実施形態においては、オプションとして、ＢＧＭを他のものに変更することができる。具体的には、このオプションを選択した依頼者の端末設備には、候補として多数の曲名が一覧表示され、それらの中から自由に選択できるようになっている。
【００６６】
（第３の実施形態：第３ステップ）
第３ステップは、プロフィールムービーを制作しようとする上で必要となる静止画、動画、サウンド、及び／又は、テキストを、依頼者に送信させるステップである。
【００６７】
第２ステップが完了すると、依頼者の端末設備の画面上に、プロフィールムービーの素材として使用すべき静止画、動画、サウンド、及び／又は、テキストを、管理サーバーへ送信することを促すメッセージが表示される。このメッセージに従って依頼者が適切な操作を行うと、画面上に、管理サーバーの電子メールアドレスに宛てた電子メールの新規作成画面が表示される。そして、プロフィールムービーの素材として使用すべき静止画等を、それぞれ所定の形式のファイルに保存させ、それらのファイルを添付した電子メールを管理サーバーへ送信させる。
【００６８】
（第３の実施形態：第４ステップ）
第４ステップは、受信した静止画、動画、サウンド、及び／又は、テキスト内の各コンテンツ等に基づいて、プロフィールムービーを制作するステップである。
【００６９】
制作者は、依頼者から送信された電子メールの添付ファイル（静止画ファイル、動画ファイル、サウンドファイル、及び／又は、テキストファイル）内の各コンテンツと、依頼者に選択された雛型の基礎となるコマーシャルムービーの広告コンテンツの一部とを、選択された雛型に沿って編纂して、プロフィールムービーを制作する。
【００７０】
例えば、選択された雛型のオリジナル版が、清涼飲料メーカーによる缶入りコーヒーのコマーシャルムービーであり、
１  全編にわたって流れるオリジナルのコマーシャルソング（サウンド素材）、
２  著名な俳優である出演者が当該商品を飲んでいるシーンの映像（動画素材）、
３  その映像上にスーパーインポーズされる出演者の氏名及び年齢を示す文字列（テキスト素材）、
４  「彼の朝はこのコーヒーから始まる。」というキャッチコピーの文字列（テキスト素材）、
５  最後に表示される商品名及び広告主の名称のロゴ（静止画素材）、及び、
６  商品名を語る出演者の音声（サウンド素材）
を編纂してなるものである場合において、上記２の素材を、依頼者が当該商品を飲んでいるシーンの映像（動画素材）と取り替え、上記３の素材を、依頼者の氏名及び年齢を示す文字列（テキスト素材）と取り替え、更に、上記６の素材を、商品名を語る依頼者の音声（サウンド素材）と取り替えてなるプロフィールムービーを作成する。
【００７１】
（第３の実施形態：第５ステップ）
第５ステップは、制作者が制作したプロフィールムービーを任意の形式の動画ファイルに保存し、依頼者に送信するステップである。本実施形態においては、米国のマクロメディア・インコーポレイテッドのFlash Player（商標）によって動作する形式の動画ファイルに保存し、依頼者に送信することとしている。但し、必ずしもこの形式には限定されず、他の形式のファイルに保存して送信することもできる。
【００７２】
（第３の実施形態：第６ステップ）
第６ステップは、依頼者によって選択された雛型の基礎となるコマーシャルムービーの広告主と制作者との間の課金情報の送受信を管理するステップである。
【００７３】
この方法においては、依頼者のプロフィールムービーの制作費用は、広告主が負担することになる。従って、管理サーバーは、プロフィールムービーの制作に当たり、依頼者によって選択された雛型の基礎となるコマーシャルムービーの広告主に対し、当該広告主の広告コンテンツの一部が組み込まれたプロフィールムービーを制作した旨、及び、その制作費用を請求する旨の情報を送信するとともに、当該広告主からの制作費用の送金に関する情報の受信の有無を確認する。
【００７４】
（第３の実施形態：メリット）
以上のようなステップが順次実行されることにより、広告主は、自社製品等の広告を多数の者に対して確実に到達させることができ、極めて効率良く宣伝広告を行うことができ、依頼者は、コンピュータネットワークを通じて自由に利用できるプロフィールムービー等を無料で入手することができる。
【００７５】
（第３の実施形態：オプション）
尚、依頼者に対して、制作したプロフィールムービーのみを送信するのではなく、電子クーポン（広告主、或いは、その他の特定の事業者との間で送受信が可能な或いは符帳し得る取引促進情報）、或いは、特定のサービスを受けるために必要な情報が、依頼者に付随的に送信されるように構成することもできる。この場合、依頼者は、プロフィールムービーを無料で入手できるという消極的な利益のほかに、積極的な利益を享受できる。
【００７６】
（第４の実施形態）
続いて、本発明の第４の実施形態について説明する。本発明の第４の実施形態も、第３の実施形態と同様に、インターネット等のコンピュータネットワーク、及び、そのようなネットワークに接続可能な端末設備（携帯電話機、ＰＨＳ等）を利用して、かかる端末設備のユーザーに対して企業の広告を行う方法であり、主として、制作者においてサーバー（管理サーバー）を管理すること、及び、管理サーバーが接続可能なコンピュータネットワーク上に開設されるウェブサイトを運営することによって実施される。
【００７７】
この方法が実施される際、制作者において実行されるアクションの中で中軸となるものは、第３の実施形態と同様に、「広告主の広告コンテンツを含むプロフィールムービー」を制作し、それを依頼者の端末設備に対し、コンピュータネットワークを介して送信する、ということである。このアクションが実行されることにより、広告主は、自社製品等の広告を多数の者に対して確実に到達させることができ、極めて効率良く宣伝広告を行える、という利益を享受することができる。
【００７８】
尚、プロフィールムービーの制作費用は、依頼者に替わって広告主が負担することになる。従って、依頼者は、コンピュータネットワークを通じて自由に利用できるプロフィールムービーを無料で入手することができる。以下、この方法を実施するために必要な事項を、ステップ毎に詳述する。
【００７９】
（第４の実施形態：第１〜２ステップ）
第１ステップは、制作者においてプロフィールムービーを制作する際の基礎となる雛型を用意するステップであり、第２ステップは、用意された複数の雛型の中から、依頼者において希望する雛型を選択させるステップである。
【００８０】
本実施形態においては、依頼者等の撮像、フレーム、背景、効果用シンボル（稲妻図形、爆発図形、クエスチョンマーク等）等の静止画・動画素材や、ＢＧＭ、効果音、ヴォイスメッセージ等のサウンド素材や、氏名、ニックネーム、経歴、嗜好、テキストメッセージ等のテキスト素材を、様々な演出効果（ズームアップ／バック、フェードイン／アウト、スーパーインポーズ）を付加して編纂することによって、プロフィールムービーが制作される。
【００８１】
但し、依頼者から制作を受注する度に、依頼者の意向を聞いて、最初から最後までオリジナルのプロフィールムービーをその都度制作することとすると、非常に手間がかかるだけでなく、時間もかかることになり、大変煩雑である。そこで、本実施形態においては、上記のような素材を種々組み合わせ、予め様々な雛型を作成しておいて、受注時に、依頼者の意向に沿ったものをそれらの中から選択させることとしている。
【００８２】
具体的には、制作者によって運営されるウェブサイトの所定のページに、用意された雛型を示すアイコンが、その簡単な説明文とともに複数掲載されており、依頼者がこのページにアクセスすると、その依頼者の端末設備の画面には、それらのアイコン等が複数表示されることになる。
【００８３】
依頼者が、それらのアイコンのうちいずれかにカーソルを合わせて実行すると、その雛型を用いて制作されたプロフィールムービーのサンプルが再生され、依頼者の端末設備の画面に表示されることになる。また、そのページには、希望する雛型を選択（決定）し、その旨を送信することを依頼者に対して促すメッセージが表示され、依頼者が指示通りの操作を行うと、依頼者によって選択された雛型に関する情報が、管理サーバーに送信される。
【００８４】
尚、雛型を構成する素材には、適宜採用されたＢＧＭが含まれているが、本実施形態においては、オプションとして、依頼者の要求に応じてＢＧＭを他のものに変更することができるようになっている。
【００８５】
（第４の実施形態：第３ステップ）
第３ステップは、プロフィールムービーを制作しようとする上で必要となる静止画、動画、サウンド、及び／又は、テキストを、依頼者に送信させるステップである。詳細は、第３の実施形態の第３ステップと同じである。
【００８６】
（第４の実施形態：第４ステップ）
第４ステップは、制作するプロフィールムービーに組み込むべき広告コンテンツとして、依頼者の需要にマッチしたものを抽出し、選択するステップである。
【００８７】
本実施形態においては、第３ステップにおいて依頼者より提出された静止画、動画、サウンド、テキスト等の素材を、選択された雛型に適用してプロフィールムービーが制作されることになるが、プロフィールムービーには、依頼者から提出された素材のほかに、広告コンテンツが組み込まれることになる。
【００８８】
管理サーバーには、多数の広告主より提供された多数の広告コンテンツが登録されている。プロフィールムービーを制作する際には、それらの中から任意の広告コンテンツを抽出して組み込むことになるが、無作為に抽出すると、必ずしも依頼者の需要にマッチしたものがヒットするとは限らない。例えば、広告の対象となっているサービスが提供される店舗の所在地が、依頼者の現在位置からかけ離れているような場合には、「依頼者の需要にマッチしている」とは言い難く、有効な広告効果を得ることができない。
【００８９】
そこで、本実施形態においては、管理サーバーに登録されている多数の広告コンテンツの中から、制作中のプロフィールムービーに組み込むべき広告コンテンツを抽出する際、選択された雛型中に含まれている文字情報（キャッチコピー、商品名等）、依頼者から送信されたテキスト中に含まれている文字情報（メッセージの中の単語等）、又は、アクセス時における依頼者の位置情報との関連性の有無を判定し、最も関連性が高いと評価されたものを自動的に抽出するように構成されている。従って、依頼者の需要にマッチしている可能性が高いものが抽出されることになる。
【００９０】
尚、このような自動抽出を実現するためには、様々なキーワードとの関連づけを行った上で各広告コンテンツを登録し、データベースを構築する必要がある。また、予め様々な判定項目を設け、各広告コンテンツを色々な角度から評価し、ポイント付けを行った上で登録するようにしてもよい。
【００９１】
また、アクセス時における依頼者の位置情報は、第３ステップにおいて依頼者に固有の素材を送信させる際に、都道府県名或いは市町村名の情報を提出させるようにしても良いし、依頼者の端末設備からの電波を受信した電気通信事業者のアンテナの設置位置情報を自動的に取得することによって、アクセス時における依頼者の位置情報を割り出すようにしても良い。
【００９２】
（第４の実施形態：第５ステップ）
第５ステップは、受信した静止画、動画、サウンド、及び／又は、テキスト内の各コンテンツと、自動的に選択された広告コンテンツ等に基づいて、プロフィールムービーを制作するステップである。
【００９３】
制作者は、依頼者から送信された電子メールの添付ファイル（静止画ファイル、動画ファイル、サウンドファイル、及び／又は、テキストファイル）内の各コンテンツと、自動的に選択された広告コンテンツの一部とを、選択された雛型に沿って編纂して、プロフィールムービーを制作する。
【００９４】
（第４の実施形態：第６ステップ）
第６ステップは、制作者が制作したプロフィールムービーを任意の形式の動画ファイルに保存し、依頼者に送信するステップである。詳細は、第３の実施形態の第５ステップと同じである。
【００９５】
（第４の実施形態：第７ステップ）
第７ステップは、自動的に選択された広告コンテンツの広告主と制作者との間の課金情報の送受信を管理するステップである。
【００９６】
この方法においては、依頼者のプロフィールムービーの制作費用は、広告主が負担することになる。従って、管理サーバーは、プロフィールムービーの制作に当たり、自動的に選択された広告コンテンツの広告主に対し、当該広告主の広告コンテンツの一部が組み込まれたプロフィールムービーを制作した旨、及び、その制作費用を請求する旨の情報を送信するとともに、当該広告主からの制作費用の送金に関する情報の受信の有無を確認する。
【００９７】
（第４の実施形態：メリット）
以上のようなステップが順次実行されることにより、広告主は、自社製品等の広告を多数の者に対して確実に到達させることができ、極めて効率良く宣伝広告を行うことができる。特に、依頼者の需要にマッチした広告が抽出されるように構成されているため、広告主の側から見れば、一般消費者のうち、広告の対象となる商品又はサービスのターゲット層に対して適切に広告を行うことができる、ということになる。一方、依頼者は、コンピュータネットワークを通じて自由に利用できるプロフィールムービーを無料で入手することができる。
【００９８】
（第４の実施形態：オプション）
尚、依頼者に対して、制作したプロフィールムービーのみを送信するのではなく、電子クーポン（広告主、或いは、その他の特定の事業者との間で送受信が可能な或いは符帳し得る取引促進情報）、或いは、特定のサービスを受けるために必要な情報が、依頼者に付随的に送信されるように構成することもできる。この場合、依頼者は、プロフィールムービーを無料で入手できるという消極的な利益のほかに、積極的な利益を享受できる。
【００９９】
尚、上記第１〜４の実施形態は、管理サーバーの管理、及び、ウェブサイトの運営が、広告主とは無関係の者により、独自の事業として行われる場合を想定して説明されているが、広告主が、自社の事業に関する広告活動の一環として自ら実施することもできる。
【０１００】
（第５の実施形態）
続いて、本発明の第５の実施形態について説明する。本発明の第５の実施形態は、インターネット等のコンピュータネットワーク、及び、そのようなネットワークに接続可能な端末設備（携帯電話機、ＰＨＳ等）を利用して、かかる端末設備のユーザーの依頼に応じてプロフィールムービーを制作する方法であり、主として、制作者においてサーバー（管理サーバー）を管理すること、及び、管理サーバーが接続可能なコンピュータネットワーク上に開設されるウェブサイトを運営することによって実施される。
【０１０１】
この方法が実施される際、制作者において実行されるアクションの中で中軸となるものは、プロフィールムービーを制作し、それを依頼者の端末設備に対し、コンピュータネットワークを介して送信する、ということである。以下、この方法を実施するために必要な事項を、ステップ毎に詳述する。
【０１０２】
（第５の実施形態：第１〜２ステップ）
第１ステップは、制作者においてプロフィールムービーを制作する際の基礎となる雛型を用意するステップであり、第２ステップは、用意された複数の雛型の中から、依頼者において希望する雛型を選択させるステップである。詳細は、第４の実施形態の第１〜２ステップと同じである。
【０１０３】
（第５の実施形態：第３ステップ）
第３ステップは、プロフィールムービーを制作しようとする上で必要となる静止画、動画、サウンド、及び／又は、テキストを、依頼者に送信させるステップである。詳細は、第３の実施形態の第３ステップと同じである。
【０１０４】
（第５の実施形態：第４ステップ）
第４ステップは、受信した静止画、動画、サウンド、及び／又は、テキスト内の各コンテンツを、選択された雛型に沿って編纂して、プロフィールムービーを制作するステップである。
【０１０５】
（第５の実施形態：第５ステップ）
第５ステップは、制作者が制作したプロフィールムービーを任意の形式の動画ファイルに保存し、依頼者に送信するステップである。詳細は、第３の実施形態の第５ステップと同じである。
【０１０６】
（第５の実施形態：第６ステップ）
第６ステップは、制作者と依頼者との間の課金情報の送受信を管理するステップである。この方法においては、依頼者のプロフィールムービーの制作費用は、依頼者が自ら負担することになる。従って、管理サーバーは、プロフィールムービーの制作に当たり、依頼者に対し、その制作費用を請求する旨の情報を送信するとともに、依頼者からの制作費用の送金に関する情報の受信の有無を確認する。
【０１０７】
（第５の実施形態：メリット）
以上のようなステップが順次実行されることにより、依頼者は、様々な用途に好適に利用することができるデジタルツールを入手することができる。
【０１０８】
（第５の実施形態：オプション）
尚、第１のステップにおいて、企業のコマーシャルムービーとして、既にテレビ放映されているもの、或いは、既にコンピュータネットワーク上において一般に公開されているものに基づいて制作された雛型を用意することもできる。
【図面の簡単な説明】
【０１０９】
【図１】本発明の第１の実施形態に係る「広告コンテンツの配信方法」の説明図。
【符号の説明】
【０１１０】
２：管理者、
３：配信希望者３、
４：広告主、
５：電気通信事業者、
６：仲介業者、
２１：管理サーバー、
３１：端末設備、
ＣＮ：コンピュータネットワーク、
ＷＳ：ウェブサイト
【図１】
2006285879.tif 000003